【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
少なくとも１つの照明装置が接続された第１のZigbee（登録商標） Light Link（ＺＬＬ）ネットワークに少なくとも１つのコントローラ装置を加入させるためのコミッショニング装置であって、前記コミッショニング装置は、
前記ＺＬＬネットワークの一部であり、
少なくとも前記コントローラ装置と前記コミッショニング装置との間で確立される単一のタッチリンク手順中に前記コミッショニング装置をターゲットモードで動作させるターゲットモジュールを含み、前記タッチリンク手順が前記コントローラ装置によって開始されることに応答して前記コントローラ装置を前記第１のＺＬＬネットワークに加入させることができ、
前記第１のＺＬＬネットワークに関連する少なくとも１つの加入情報を前記コントローラ装置に与え、
更に、前記コミッショニング装置は、前記コントローラ装置に前記ネットワークの少なくとも１つの照明装置及び／又は少なくとも１つの照明装置群に関連するバインディング情報を提供する、
コミッショニング装置。
【請求項２】
−  前記第１のＺＬＬネットワークに関連する前記少なくとも１つの加入情報を記憶するメモリユニットと、
−  前記メモリユニットに結合され、且つ前記タッチリンク手順中に前記コミッショニング装置をプロバイダモードで動作させるプロバイダモジュールと
を更に含む、請求項１に記載のコミッショニング装置。
【請求項３】
前記コミッショニング装置が前記プロバイダモードにある間、
−  前記メモリユニットが、前記ネットワークの少なくとも１つの照明装置及び／又は少なくとも１つの照明装置群に関連する前記バインディング情報を更に記憶し、及び
−  前記コミッショニング装置は、前記コントローラ装置が前記ネットワークに加入したら前記バインディング情報を前記コントローラ装置に更に与える、請求項２に記載のコミッショニング装置。
【請求項４】
前記バインディング情報が、ネットワーク識別情報、物理的位置情報、及び／又はサービス情報を含む、請求項１、２又は３に記載のコミッショニング装置。
【請求項５】
前記コントローラ装置が前記ネットワークに加入し、且つ前記タッチリンク手順が完了しているとき、所定の時間を設定し、前記コントローラが前記ネットワークに接続されている時間を計算し、及び前記計算された時間が前記所定の時間を上回るかどうかを判定するタイマモジュールを前記コミッショニング装置が更に含む、請求項１、２、３又は４に記載のコミッショニング装置。
【請求項６】
少なくとも１つの照明装置が接続された第１のZigbee（登録商標） Light Link（ＺＬＬ）ネットワークにコミッショニング装置によって加入させられるコントローラ装置であって、前記コントローラ装置は、
−  ターゲットモードで動作している前記コミッショニング装置と前記コントローラ装置との間で確立される単一のタッチリンク手順を開始するための少なくとも第１の制御メッセージを生成する第１の処理装置であって、前記コミッショニング装置は、前記コントローラ装置を前記第１のＺＬＬネットワークに加入させることができる、第１の処理装置と、
−  前記第１の処理装置に結合され、且つ前記第１の制御メッセージを伝送し、及び前記第１のＺＬＬネットワークに関連する少なくとも１つの加入情報を含む第２の制御メッセージを前記コミッショニング装置から受信するトランシーバと
を含み、前記トランシーバは、前記ネットワークの少なくとも１つの照明装置及び又は少なくとも１つの照明装置群に関連するバインディング情報を含む第３の制御メッセージを前記コミッショニング装置から受け取り、
前記タッチリンク手順の前記開始前に前記コントローラ装置が第２のＺＬＬネットワークに関連していなかった場合、前記タッチリンク手順中に更なるＺＬＬネットワークが前記コントローラ装置によって作成されず、
前記タッチリンク手順の前記開始前に前記コントローラ装置が第２のＺＬＬネットワークに関連していた場合、前記タッチリンク手順中に前記コントローラ装置が前記第２のＺＬＬネットワークから離脱する、コントローラ装置。
【請求項７】
少なくとも１つの照明装置が接続された第１のZigbee（登録商標） Light Link、ＺＬＬ、ネットワークに少なくとも１つのコントローラ装置を加入させるためのシステムであって、
−  請求項１、２、３、４又は５に記載のコミッショニング装置と、
−  請求項６に記載のコントローラ装置と
を含み、
−  第１の制御メッセージが、ＺＬＬ加入及びバインディングメカニズムの開始を表す第１の情報を含み、
−  第２の制御メッセージが、少なくとも１つの加入情報を含む第２の情報を含み、
−  第３の制御メッセージが、前記ネットワークの少なくとも１つの照明装置及び／又は少なくとも１つの照明装置群に関連するバインディング情報を含む、システム。
【請求項８】
−  前記第１の制御メッセージが、所定の時間を定める第３の情報を更に含み、及び
−  前記第２の制御メッセージが、前記第１のＺＬＬネットワークからの切断手順を開始する第４の情報を更に含む、請求項７に記載のシステム。
【請求項９】
前記コントローラ装置が遠隔制御ユニットの一部であり、前記遠隔制御装置は、前記コントローラ装置と組み合わせて動作可能な通信機器も含み、前記通信機器は少なくとも１つの制御コマンド及び／又は少なくとも１つの情報コマンドを生成する第２の処理装置を含み、
−  前記第１の制御メッセージは、前記制御コマンドの前記生成に応答して生成され、
−  前記情報コマンドは、前記第２の制御メッセージの受信に応答して生成される、請求項７又は８に記載のシステム。
【請求項１０】
少なくとも１つの照明装置が接続された第１のZigbee（登録商標） Light Link（ＺＬＬ）ネットワークに少なくとも１つのコントローラ装置を加入させる方法であって、
−  前記ネットワークの一部であるコミッショニング装置を提供するステップと、
−  単一のタッチリンク手順が前記コントローラ装置によって開始されることに応答して前記コントローラ装置を前記ネットワークに加入させるために、少なくとも前記コントローラ装置と前記コミッショニング装置との間で確立される前記タッチリンク手順中に前記コミッショニング装置をターゲットモードで動作させるステップと
を含み、
前記コントローラ装置は、前記第１のＺＬＬネットワークに関連する少なくとも１つの加入情報を前記コミッショニング装置から受け取り、前記コントローラ装置は、前記ネットワークの少なくとも１つの照明装置及び／又は少なくとも１つの照明装置群に関連するバインディング情報を前記コミッショニング装置から更に受け取り、
−  前記タッチリンク手順の前記開始前に前記コントローラ装置が第２のＺＬＬネットワークに関連していなかった場合、前記タッチリンク手順中に更なるＺＬＬネットワークを作成せず、
−  前記タッチリンク手順の前記開始前に前記コントローラ装置が第２のＺＬＬネットワークに関連していた場合、前記タッチリンク手順中に前記コントローラ装置を前記第２のＺＬＬネットワークから離脱させる、方法。
【請求項１１】
−  前記ネットワークの少なくとも１つの照明装置及び／又は少なくとも１つの照明装置群に関連する前記バインディング情報を記憶するステップと、
−  前記コントローラ装置が前記ネットワークに加入することに応答して前記コントローラ装置に前記バインディング情報を与えるために、前記タッチリンク手順中に前記コミッショニング装置をプロバイダモードで動作させるステップと
を更に含む、請求項１０に記載の方法。
【請求項１２】
前記バインディング情報が、ネットワーク識別情報、物理的位置情報、及び／又はサービス情報を含む、請求項１１に記載の方法。
【請求項１３】
前記コントローラ装置が前記ネットワークに加入し、且つ前記タッチリンク手順が完了しているとき、
−  所定の時間を設定するステップと、
−  前記コントローラが前記ネットワークに接続されている時間を計算するステップと、
−  前記計算された時間が前記所定の時間を上回るかどうかを判定するステップと
を更に含む、請求項１０、１１又は１２に記載の方法。
【請求項１４】
前記計算された時間が前記所定の時間を上回る場合、前記コントローラ装置を前記ＺＬＬネットワークから切断させる、請求項１３に記載の方法。
【請求項１５】
請求項９、１０、１１、１２又は１３に記載の方法を１個又は複数個の処理装置に実行させるための命令が記憶された非一時的コンピュータ可読媒体。